(57)【要約】【課題】、受信側の電話機が受信した個人情報を当該個人情報の記録されるべきブロックの上位に記録できるようにする。【解決手段】発信側の携帯電話機１の利用者が携帯電話機１を操作して個人情報６又は個人情報６の読み仮名の末尾１字の前に順序変更指定情報７なる「ア」を付加してなる情報を発信すると、受信側の携帯電話機２は受信した個人情報６又は個人情報６に順序変更指定情報７の付加された情報を五十音順に従って携帯電話機２に記録するので、携帯電話機２に記録される順位の変更のための特殊な手段を設けることなく、順序変更指定情報７の有る個人情報６が順序変更指定情報７の無い個人情報６よりも上位に記録される。携帯電話機１が受信側で携帯電話機２が発信側である場合もある。【選択図】図１
2013106106.tif 000002
【特許請求の範囲】
【請求項１】
発信側の電話機が個人情報の予め定められた特定の位置に予め定められた特定の順序変更指定情報を付加してなる情報又は個人情報を受信側の電話機に発信し、受信側の電話機が上記受信側の電話機から発信された個人情報の予め定められた特定の位置に予め定められた特定の順序変更指定情報を付加してなる情報を又は個人情報を受信して予め定められた文字を並べる順序の決め方に従ってその受信側の電話機に記録することを特徴とする電話装置。
【請求項２】
請求項１に記載された電話装置の発信側の電話機又は受信側の電話機として用いられる電話機がユーザーインタフェースを構成する入力操作手段と近距離無線通信部と送受信部と近距離無線通信部と送受信部と制御部とを備え、制御部には個人情報と予め定められた特定の順序変更指定情報と情報発信手段と情報登録手段とが設けられ、順序変更入力手段が上記入力操作手段による入力により制御部から個人情報を抽出するか又は抽出した個人情報の予め定められた特定の位置に制御部から抽出した予め定められた特定の順序変更指定情報を付加してなる情報を作成し、情報発信手段が上記抽出した個人情報又は上記順序変更入力手段で作成された個人情報の予め定められた特定の位置に上記予め定められた特定の順序変更指定情報を付加してなる情報を発信する一方、情報登録手段が受信した個人情報の予め定められた特定の位置に上記予め定められた特定の順序変更指定情報を付加してなる情報又は個人情報を予め定められた文字を並べる順序の決め方に従って当該電話機に記録することを特徴とする電話機。
【発明の詳細な説明】
【技術分野】
【０００１】
本発明は、受信側の電話機が発信側の電話機から発信された個人情報の予め定められた特定の位置に予め定められた特定の順序変更指定情報を付加してなる情報又は個人情報を予め定められた文字を並べる順序の決め方に従って当該受信側の電話機に記録する電話装置とそれに用いられる電話機に関する。上記予め定められた文字を並べる順序の決め方とは、例えば、五十音順、いろは順、アルファベット順等のことである。
【背景技術】
【０００２】
特許文献１には、自分の携帯電話機に記録されている電話帳情報を赤外線通信により他人の携帯電話機に転送することが開示されている。特許文献２には、通信端末機における利用時点の曜日又は時間帯等のような利用環境に適した電話帳を表示することが開示されている。特許文献３には、相手先の移動機の現在位置に適した電話番号や電子メールアドレス等の通信アドレスを表示することが開示されている。これらの特許文献１乃至特許文献３を組み合わせても、受信側の電話機が受信した個人情報を発信側の電話機からの発信の条件に基づき当該個人情報の記録されるべきブロックの上位に記録することができないという欠点がある。上記個人情報の記録されるべきブロックとは、個人情報の中の氏名又は苗字又は名前の読み仮名が同じの集合のことである。
【先行技術文献】
【特許文献】
【０００３】
【特許文献１】特開２００２‐２８１１４６号公報
【特許文献２】特開２００５‐２３６８７１号公報
【特許文献３】特開２００９‐３３５０９号公報
【発明の概要】
【発明が解決しようとする課題】
【０００４】
本発明は、上記背景技術に鑑みてなされたものであり、受信側の電話機が受信した個人情報を発信側の電話機からの発信の条件に基づき当該個人情報の記録されるべきブロックの上位に記録できるようにすることを目的とする。
【課題を解決するための手段】
【０００５】
本発明に係る電話装置は、発信側の電話機が個人情報の予め定められた特定の位置に予め定められた特定の順序変更指定情報を付加してなる情報又は個人情報を受信側の電話機に発信し、受信側の電話機が上記受信側の電話機から発信された個人情報の予め定められた特定の位置に予め定められた特定の順序変更指定情報を付加してなる情報を又は個人情報を受信して予め定められた文字を並べる順序の決め方に従ってその受信側の電話機に記録することを特徴とする。又、本発明に係る電話装置に用いられる電話機は、ユーザーインタフェースを構成する入力操作手段と近距離無線通信部と送受信部と近距離無線通信部と送受信部と制御部とを備え、制御部には個人情報と予め定められた特定の順序変更指定情報と順序変更入力手段と情報発信手段と情報登録手段とが設けられ、順序変更入力手段が上記入力操作手段による入力により上記個人情報の予め定められた特定の位置に上記予め定められた特定の順序変更指定情報を付加してなる情報を作成し、情報発信手段が上記制御部に設けられた個人情報又は上記順序変更入力手段で作成された個人情報の予め定められた特定の位置に上記予め定められた特定の順序変更指定情報を付加してなる情報を発信する一方、情報登録手段が受信した個人情報の予め定められた特定の位置に上記予め定められた特定の順序変更指定情報を付加してなる情報又は個人情報を予め定められた文字を並べる順序の決め方に従って当該電話機に記録することを特徴とする。
【発明の効果】
【０００６】
本発明に係る電話装置及びそれに使用する電話機は、受信側の電話機が受信した個人情報を発信側の電話機からの発信の条件に基づき当該個人情報の記録されるべきブロックの上位に記録できるという効果を奏する。
【図面の簡単な説明】
【０００７】
【図１】実施の形態に係る電話装置を示す構成図。
【図２】実施の形態に係る発信側の電話機を示す構成図。
【図３】実施の形態に係る受信側の電話機を示す構成図。
【図４】実施の形態に係る発信側の電話機に個人情報を記録する場合を示す工程図。
【図５】実施の形態に係る発信側の電話機から個人情報を受信側の電話機に転送する場合を示す工程図。
【図６】実施の形態に係る受信側の電話機での処理を示すフローチャート。
【図７】実施の形態に係る受信側の電話機で受信した個人情報を記録されるべきブロックの上位に記録したアドレスデータ記憶部を示す図表。
【図８】実施の形態に係る受信側の電話機で受信した個人情報を通常の順序で記録したアドレスデータ記憶部を示す図表。
【発明を実施するための形態】
【０００８】
図１を参照し、実施の形態に係る電話装置について説明する。携帯電話機１；２は、単数に限定されるものではなく、複数であってもよく、ＰＨＳ（Personal Handy-phone System）で使用可能な携帯電話機やそれ以外の通信システムで使用可能な携帯電話機で構成される。携帯電話機１は、近距離無線通信部３と無線送受信部４と制御部５とを備える。制御部５には、個人情報６と順序変更指定情報７とが予め記録されている。個人情報６は、携帯電話機１の利用者の氏名と電話番号及び電子メールアドレス等の個人を表す情報である。携帯電話機１の利用者とは携帯電話機１を所有する者又は携帯電話機１を使用する者又は携帯電話機１を所持する者をいう。順序変更指定情報７は、携帯電話機１から発信する個人情報６を携帯電話機２の記録されるべきブロックの上位に記録させることを表す順序の変更を指定する情報である。携帯電話機２は、近距離無線通信部８と無線送受信部９と制御部１０とを備える。制御部１０には、個人情報１１と順序変更指定情報１２とが予め記録されている。個人情報１１は、携帯電話機２の利用者の氏名と電話番号及び電子メールアドレス等の個人を表す情報である。順序変更指定情報１２は、携帯電話機２から発信する個人情報１１を携帯電話機１の記録されるべきブロックの上位に記録させることを表す順序の変更を指定する情報である。
【０００９】
携帯電話機１；２では、制御部５；１０が近距離無線通信部３；８による通信であるか無線送受信部４；９による通信であるかを制御することにより、近距離無線通信部３；８が無線基地局１３；１４と通信網１５と制御局１６を経由しないで互いに接続されてデータのやり取りを行う一方、無線送受信部４；９が無線基地局１３；１４と通信網１５と制御局１６を経由して互いに接続されてデータや通話のやり取りを行うようになっている。通信網１５は、単数の通信事業者で運営される形態、複数の通信事業者で運営される形態がある。複数の通信事業者で運営される形態では、例えば、一方の通信事業者で運営される通信網１５には無線基地局１３及び制御局１６が設けられ、他方の通信事業者で運営される通信網１５には無線基地局１４及び図外の制御局が設けられ、一方の通信事業者で運営される通信網１５と他方の通信事業者で運営される通信網１５とが図外の関門交換機を経由して通信可能に接続される。
【００１０】
先ず、図１の電話装置において、携帯電話機１の利用者が携帯電話機１の制御部５に記録された携帯電話機１の所有者に関する個人情報６を携帯電話機１から携帯電話機２に発信する場合について説明する。このように個人情報６を携帯電話機１から携帯電話機２に発信する場合には、携帯電話機１が発信側の電話機となり、携帯電話機２が受信側の電話機となる。発信側となった携帯電話機１の利用者が発信する個人情報６を携帯電話機２の記録されるべきブロックの上位に記録させる場合には、携帯電話機１の利用者が発信する個人情報６の予め定められた特定の位置に予め定められた特定の順序変更指定情報７を付加するように携帯電話機１を操作する。逆に、携帯電話機１の利用者が発信する個人情報６を携帯電話機２に記録されるべきブロックの上位に記録しない場合には、携帯電話機１の利用者が発信する個人情報６の予め定められた特定の位置に予め定められた特定の順序変更指定情報７を付加するような携帯電話機１に対する操作を行わない。
【００１１】
そして、携帯電話機１の利用者が携帯電話機１の近距離無線通信部３から携帯電話機２の近距離無線通信部８に個人情報６を発信する場合には、携帯電話機１の利用者が近距離無線通信部３；８のペアリングを行うように携帯電話機１を操作する。ペアリングとは、機械と機械とを無線で結ぶことであり、実施の形態では近距離無線通信部３：８を互いに無線で通信可能に接続することを言う。それに伴い、携帯電話機１の制御部５が近距離無線通信部３を動作させて近距離無線通信部８と通信可能となるように接続して待ち受け状態とする。その後、携帯電話機１の利用者が制御部５から個人情報６を抽出して近距離無線通信部３から発信するように携帯電話機１を操作する。それに伴い、近距離無線通信部３が制御部５から抽出した個人情報６又は当該個人情報６の予め定められた特定の位置に予め定められた特定の順序変更指定情報７の付加された情報を発信する。その発信された個人情報６又は当該個人情報６の予め定められた特定の位置に予め定められた特定の順序変更指定情報７の付加された情報が無線基地局１３；１４と通信網１５及び制御局１６を経由することなく近距離無線通信部８で受信されるのに伴い、携帯電話機２の制御部１０は受信した個人情報６又は当該個人情報６の予め定められた特定の位置に予め定められた特定の順序変更指定情報７の付加された情報を予め定められた文字を並べる順序の決め方である例えば五十音順に従って記録する。
【００１２】
又、携帯電話機１の利用者が携帯電話機１の無線送受信部４から携帯電話機２の無線送受信部９に個人情報６を発信する場合には、無線送受信部４；９が互いに待受け状態において、携帯電話機１の利用者が制御部５から個人情報６を抽出して無線送受信部４から発信するように携帯電話機１を操作する。それに伴い、制御部５が無線送受信部４を動作させ、無線送受信部４が制御部５から抽出した個人情報６又は当該個人情報６の予め定められた特定の位置に予め定められた特定の順序変更指定情報７の付加された情報を発信する。その発信された個人情報６又は当該個人情報６の予め定められた特定の位置に予め定められた特定の順序変更指定情報７の付加された情報が無線基地局１３から通信網１５と制御局１６及び無線基地局１４を順に経由して携帯電話機２の無線送受信部９で受信されるのに伴い、制御部１０は受信した個人情報６又は当該個人情報６の予め定められた特定の位置に予め定められた特定の順序変更指定情報７の付加された情報を例えば五十音順に従って記録する。
【００１３】
以上のように、発信側の携帯電話機１の利用者が発信する個人情報６を受信側の携帯電話機２の記録されるべきブロックの上位に記録しない場合は携帯電話機１から予め定められた特定の位置に予め定められた特定の順序変更指定情報７の付加されていない個人情報６を発信させ、発信側の携帯電話機１の利用者が発信する個人情報６を携帯電話機２の記録されるべきブロックの上位に記録する場合は携帯電話機１から個人情報６の予め定められた特定の位置に予め定められた特定の順序変更指定情報７の付加された情報を発信させることにより、受信側の携帯電話機２が受信した個人情報６又は当該個人情報６の予め定められた特定の位置に予め定められた特定の順序変更指定情報７の付加された情報を予め定められた文字を並べる順序の決め方に従って携帯電話機２に記録するので、携帯電話機２では記録される順位の変更のための特殊な手段を必要とすることなく特定の順序変更指定情報７の付加された個人情報６を特定の順序変更指定情報７の付加されていない個人情報６よりも携帯電話機２に記録されるべきブロックの上位に記録することができる。
【００１４】
次に、図１の電話装置において、携帯電話機２の利用者が携帯電話機２の制御部１０に記録された携帯電話機２の所有者に関する個人情報１１を携帯電話機２から携帯電話機１に発信する場合について説明する。このように個人情報１１を携帯電話機２から携帯電話機１に発信する場合には、携帯電話機２が発信側の電話機となり、携帯電話機１が受信側の電話機となる。発信側となった携帯電話機２が発信する個人情報１１を受信側となった携帯電話機１のブロックの上位に記録する場合には、携帯電話機２の利用者が発信する個人情報１１の予め定められた特定の位置に予め定められた特定の順序変更指定情報１２を付加するように携帯電話機２を操作する。逆に、携帯電話機２の利用者が発信する個人情報１１を携帯電話機１のブロックの上位に記録しない場合には、携帯電話機２の利用者が発信する個人情報１１の予め定められた特定の位置に予め定められた特定の順序変更指定情報１２を付加するような携帯電話機２に対する操作を行わない。
【００１５】
そして、携帯電話機２が携帯電話機２の近距離無線通信部８から携帯電話機１の近距離無線通信部３に個人情報１１を発信する場合には、携帯電話機２の利用者が近距離無線通信部３；８のペアリングを行うように携帯電話機２を操作する。それに伴い、携帯電話機２の制御部５が近距離無線通信部８を動作させて近距離無線通信部３と通信可能となるように接続して待ち受け状態とする。その後、携帯電話機２の利用者が制御部１０から個人情報１１を抽出して近距離無線通信部８から発信するように携帯電話機１を操作する。それに伴い、制御部１０が近距離無線通信部８を動作させ、近距離無線通信部８が制御部１０から抽出した個人情報１１又は当該個人情報１１の予め定められた特定の位置に予め定められた特定の順序変更指定情報１２の付加された情報を発信する。その発信された個人情報１１又は当該個人情報１１の予め定められた特定の位置に予め定められた特定の順序変更指定情報１２の付加された情報が無線基地局１３；１４と通信網１５及び制御局１６を経由することなく近距離無線通信部３で受信されるのに伴い、携帯電話機１の制御部５は受信した個人情報１１又は当該個人情報１１の予め定められた特定の位置に予め定められた特定の順序変更指定情報１２の付加された情報を例えば五十音順に従って記録する。
【００１６】
又、携帯電話機２が携帯電話機２の無線送受信部９から携帯電話機１の無線送受信部４に個人情報１１を発信する場合には、無線送受信部４；９が互いに待受け状態になった状態において、携帯電話機２の利用者が制御部１０から個人情報１１を抽出して無線送受信部９から発信するように携帯電話機２を操作する。それに伴い、制御部１０が無線送受信部９を動作させ、無線送受信部９が制御部１０から抽出した個人情報１１又は当該個人情報１１の予め定められた特定の位置に予め定められた特定の順序変更指定情報１２の付加された情報を発信する。その発信された個人情報１１又は当該個人情報１１の予め定められた特定の位置に予め定められた特定の順序変更指定情報１２の付加された情報が無線基地局１４から通信網１５と制御局１６及び無線基地局１３を順に経由して携帯電話機１の無線送受信部４で受信されるのに伴い、制御部５は受信した個人情報１１又は当該個人情報１１の予め定められた特定の位置に予め定められた特定の順序変更指定情報１２の付加された情報を例えば五十音順に従って記録する。
【００１７】
以上のように、発信側の携帯電話機２が発信する個人情報１１を受信側の携帯電話機１の記録されるべきブロックの上位に記録しない場合は携帯電話機２から予め定められた特定の位置に予め定められた特定の順序変更指定情報１２の付加されていない個人情報１１を発信させ、発信側の携帯電話機２の利用者が発信する個人情報１１を携帯電話機１の記録されるべきブロックの上位に記録する場合は携帯電話機２から個人情報１１の予め定められた特定の位置に予め定められた特定の順序変更指定情報１２の付加された情報を発信させることにより、受信側の携帯電話機１が受信した個人情報１１又は当該個人情報１１の予め定められた特定の位置に予め定められた特定の順序変更指定情報１２の付加された情報を予め定められた文字を並べる順序の決め方に従って携帯電話機１に記録するので、携帯電話機１では記録される順位の変更のための特殊な手段を必要とすることなく特定の順序変更指定情報１２の付加された個人情報１１を特定の順序変更指定情報１２の付加されていない個人情報１１よりも携帯電話機１に記録されるべきブロックの上位に記録することができる。
【００１８】
図２を参照し、実施の形態に係る携帯電話機１の構成について説明する。携帯電話機１は、携帯容器に、近距離無線通信部３、無線送受信部４、制御部５、マイクロホン２１、スピーカ２２、キー部２３、表示部２４、バッテリ２５を備える。近距離無線通信部３は、赤外線、ブルートゥース（登録商標）、フェリカ（登録商標）、Ｗｉ‐Ｆｉ（登録商標）を利用して情報をやり取りするものである。無線送受信部４は、アンテナ２６を有し、キー部２３における図外の電源スイッチがオンされて、バッテリ２５からの電力で動作した制御部５の制御によりアンテナ２６を経由して図１の無線基地局１３と無線通信を行うものであって、通話機能だけを備えた構成、通話機能とデータ通信機能とを併有した構成が考えられる。
【００１９】
図２において、マイクロホン２１は、音声や音を集音して電気信号に変換して出力する機器である。スピーカ２２は、電気信号を音声や音に変換して出力する機器である。キー部２３は、制御部５の入力機器を構成する多数のキーを備える。多数のキーとしては、置数キー、電源スイッチ、発信スイッチ、発信停止スイッチ、ファンクションキー等である。表示部２４は、携帯電話機１を操作する人に制御部５の出力情報を可視化するためのディスプレイのような出力機器を構成する。バッテリ２５は、携帯電話機１の各電気部品に直流の電力を供給する電源である。
【００２０】
制御部５は、ＣＰＵ２７、ＲＯＭ２８、ＲＡＭ２９、情報発信手段３０、情報登録手段３１、プロフィール記憶部３２、情報記憶部３３、アドレスデータ記憶部３４、メモリダイヤル記憶部３５を備える。ＣＰＵ２７は、ＲＯＭ２８に格納されたオペレーティングシステムやアプリケーションソフトからなるプログラムにしたがいＲＡＭ２９に記憶されている情報を使用しながら動作して携帯電話機１の各電気部品の動作を制御するものである。情報発信手段３０及び情報登録手段３１は、ＣＰＵ２７の動作で具現化される。
【００２１】
情報発信手段３０は、携帯電話機１の利用者の操作に対応するＣＰＵ２７の動作により、プロフィール記憶部３２から個人情報６を抽出するか又は抽出した個人情報６の予め定められた特定の位置に、情報記憶部３３から抽出した予め定められた特定の順序変更指定情報７を付加してなる情報を作成する。例えば、携帯電話機１が個人情報６を発信する場合に、利用者が順序変更指定情報７を付加しないようにキー部２３を操作すると、このキー部２３の操作に対応する操作信号がキー部２３から制御部５に入力され、この操作信号の制御部５への入力に伴い、情報発信手段３０がプロフィール記憶部３２から個人情報６を抽出する一方、携帯電話機１の利用者が個人情報６を発信する場合に順序変更指定情報７を付加するようにキー部２３を操作すると、このキー部２３の操作に対応する操作信号がキー部２３から制御部５に入力され、この操作信号の制御部５への入力に伴い、情報発信手段３０がプロフィール記憶部３２から抽出した個人情報６の予め定められた特定の位置に情報記憶部３３から抽出した予め定められた特定の順序変更指定情報７を付加してなる情報を作成する。
【００２２】
情報登録手段３１は、ＣＰＵ２７の動作により、携帯電話機１の近距離無線通信部３又は無線送受信部４が図１の携帯電話機２から個人情報１１又は個人情報１１の予め定められた特定の位置に予め定められた特定の順序変更指定情報７を付加してなる情報を受信するのに伴い、その受信した個人情報１１又は個人情報１１の予め定められた特定の位置に予め定められた特定の順序変更指定情報７を付加してなる情報を例えば五十音順に従ってアドレスデータ記憶部３４に記録する。
【００２３】
プロフィール記憶部３２は、携帯電話機１の利用者の操作に対応するＣＰＵ２７の動作により、携帯電話機１の利用者の個人情報６を記録する部分であり、フラッシュメモリ又はＲＯＭ２８の書き換え可能な部分により構成される。プロフィール記憶部３２に記録される個人情報６は、オーナー情報やプロフィール情報と呼ばれ、例えば、携帯電話機１の利用者の氏名の漢字表記、当該氏名の読み仮名、携帯電話機１の電話番号、携帯電話機１の利用者の連絡先として上記携帯電話機１の電話番号以外の電話機の電話番号、電子メールアドレスからなる。個人情報６がプロフィール記憶部３２に記録される工程については図４で説明する。
【００２４】
図２において、情報記憶部３２は、ＲＯＭ２８の書き換え不可能な部分に順序変更指定情報７を記憶保持するメモリとして設けられる。情報記憶部３２には、ＲＯＭ２８の製造段階で予め定められた特定の順序変更指定情報７として例えばカタカナの「ア」が予め記録されている。順序変更指定情報７は、「ア」に限定されるものではなく、「☆」や「♯」又はそれら以外の記号でもよいが、この電話装置に使用される図２の順序変更指定情報７や図３の順序変更指定情報１２として統一された一様の記号が特定されて用いられる。予め定められた文字を並べる順序の決め方として五十音順が定められた状態において、順序変更指定情報７として「ア」が用いられれば、順序変更指定情報７の付加された個人情報６が順序変更指定情報７の付加されていない個人情報６よりも図３に示すアドレスデータ記憶部５４の該当するブロックの上位に記録される。
【００２５】
図２において、アドレスデータ記憶部３４は、ＲＯＭ２８の書き換え可能な部分又はフラッシュメモリに携帯電話機１の利用者に関連する連絡先情報を記憶保持するメモリとして設けられる。アドレスデータ記憶部３４には、携帯電話機１の利用者の操作に対応するＣＰＵ２７の動作により、携帯電話機１の利用者の私的に作成された連絡先情報としての氏名と住所と電話番号及び電子メールアドレス等の情報が電話帳として記録される。メモリダイヤル記憶部３５は、ＲＯＭ２８の書き換え可能な部分に又はフラッシュメモリに携帯電話機１に着信された相手先電話番号を記憶保持するメモリとして設けられる。アドレスデータ記憶部３４又はメモリダイヤル記憶部３５は、携帯電話機１の発信時にアドレスデータ記憶部３４に記録された連絡先情報の電話番号又はメモリダイヤル記憶部３５に記録された相手先電話番号を表示部２４に表示させて発信できるようにしたメモリダイヤル機能として使用されることが可能である。
【００２６】
図３を参照し、実施の形態に係る携帯電話機２の構成について説明する。携帯電話機２は、携帯容器に、近距離無線通信部８、無線送受信部９、制御部１０、マイクロホン４１、スピーカ４２、キー部４３、表示部４４、バッテリ４５を備える。近距離無線通信部８は、赤外線、ブルートゥース（記録商標）、フェリカ（記録商標）、Ｗｉ‐Ｆｉ（記録商標）を利用して情報をやり取りするものである。無線送受信部９は、アンテナ４６を有し、キー部４３における図外の電源スイッチがオンされて、バッテリ４５からの電力で動作した制御部１０の制御によりアンテナ４６を経由して図１の無線基地局１４と無線通信を行うものであって、通話機能だけを備えた構成、通話機能とデータ通信機能とを併有した構成が考えられる。
【００２７】
図３において、マイクロホン４１は、音声や音を集音して電気信号に変換して出力する機器である。スピーカ４２は、電気信号を音声や音に変換して出力する機器である。キー部４３は、制御部１０の入力機器を構成する多数のキーを備える。多数のキーとしては、置数キー、電源スイッチ、発信スイッチ、発信停止スイッチ、ファンクションキー等である。表示部４４は、携帯電話機２を操作する人に制御部１０の出力情報を可視化するためのディスプレイのような出力機器を構成する。バッテリ４５は、携帯電話機２の各電気部品に直流の電力を供給する電源である。
【００２８】
制御部１０は、ＣＰＵ４７、ＲＯＭ４８、ＲＡＭ４９、情報発信手段５０、情報登録手段５１、プロフィール記憶部５２、情報記憶部５３、アドレスデータ記憶部５４、メモリダイヤル記憶部５５を備える。ＣＰＵ４７は、ＲＯＭ４８に格納されたオペレーティングシステムやアプリケーションソフトからなるプログラムにしたがいＲＡＭ４９に記憶されている情報を使用しながら動作して携帯電話機２の各電気部品の動作を制御するものである。情報発信手段５０及び情報登録手段５１は、ＣＰＵ４７の動作で具現化される。
【００２９】
情報発信手段５０は、携帯電話機２の利用者の操作に対応するＣＰＵ４７の動作により、プロフィール記憶部５２から個人情報１１を抽出するか又は抽出した個人情報１１の予め定められた特定の位置に、情報記憶部５３から抽出した予め定められた特定の順序変更指定情報１２を付加する。例えば、携帯電話機２の利用者が個人情報１１を発信する場合に順序変更指定情報１２を付加ないようにキー部２３を操作すると、このキー部２３の操作に対応する操作信号がキー部２３から制御部５に入力され、この操作信号の制御部５への入力に伴い、情報発信手段３０がプロフィール記憶部３２から個人情報６を抽出する一方、携帯電話機２の利用者が個人情報１１を発信する場合に順序変更指定情報１２を付加するようにキー部４３を操作すると、このキー部４３の操作に対応する操作信号がキー部４３から制御部１０に入力され、この操作信号の制御部１０への入力に伴い、情報発信手段５０がプロフィール記憶部５２から抽出した個人情報１１の予め定められた特定の位置に情報記憶部５３から抽出した予め定められた特定の順序変更指定情報１２を付加する。
【００３０】
情報登録手段５１は、ＣＰＵ４７の動作により、携帯電話機２の近距離無線通信部８又は無線送受信部９が図１の携帯電話機１から個人情報６を受信するのに伴い、その受信した個人情報６又は個人情報６の予め定められた特定の位置に予め定められた特定の順序変更指定情報７を付加してなる情報又は個人情報１１の予め定められた特定の位置に予め定められた特定の順序変更指定情報７を付加してなる情報を例えば五十音順に従ってアドレスデータ記憶部５４に記録する。
【００３１】
プロフィール記憶部５２は、携帯電話機２の利用者の操作に対応するＣＰＵ４７の動作により、携帯電話機２の利用者の個人情報１１を記録する部分であり、フラッシュメモリ又はＲＯＭ４８の書き換え可能な部分により構成される。プロフィール記憶部５２に記録される個人情報１１は、オーナー情報やプロフィール情報と呼ばれ、例えば、携帯電話機２の利用者の氏名の漢字表記、当該氏名の読み仮名、携帯電話機２の電話番号、携帯電話機２の利用者の連絡先として上記携帯電話機２の電話番号以外の電話機の電話番号、電子メールアドレスからなる。
【００３２】
情報記憶部３２は、ＲＯＭ４８の書き換え不可能な部分に順序変更指定情報１２を記憶保持するメモリとして設けられる。情報記憶部３２には、ＲＯＭ４８の製造段階で予め定められた特定の順序変更指定情報１２として例えばカタカナの「ア」が予め記録されている。順序変更指定情報１２は、「ア」に限定されるものではなく、「☆」や「♯」又はそれら以外の記号でもよいが、この電話装置に使用される図２の順序変更指定情報７や図３の順序変更指定情報１２として統一された一様の記号が特定されて用いられる。予め定められた文字を並べる順序の決め方として五十音順が定められた状態において、順序変更指定情報１２として「ア」を用いれば、順序変更指定情報１２の付加された個人情報１１が順序変更指定情報１２の付加されていない個人情報１１よりも図２に示すアドレスデータ記憶部３４の該当するブロックの上位に記録される。
【００３３】
図３において、アドレスデータ記憶部５４は、ＲＯＭ４８の書き換え可能な部分又はフラッシュメモリに携帯電話機２の利用者に関連する連絡先情報を記憶保持するメモリとして設けられる。アドレスデータ記憶部５４には、携帯電話機２の利用者の操作に対応するＣＰＵ４７の動作により、携帯電話機２の利用者の私的に作成された連絡先情報としての氏名と住所と電話番号及び電子メールアドレス等の情報が電話帳として記録される。メモリダイヤル記憶部５５は、ＲＯＭ４８の書き換え可能な部分又はフラッシュメモリに携帯電話機２に着信された相手先電話番号を記憶保持するメモリとして設けられる。アドレスデータ記憶部５４又はメモリダイヤル記憶部５５は、携帯電話機２の発信時にアドレスデータ記憶部５４に記録された連絡先情報の電話番号又はメモリダイヤル記憶部５５に記録された相手先電話番号を表示部４４に表示させてワンタッチで発信できるようにしたメモリダイヤル機能として使用されることが可能である。
【００３４】
図４を参照し、図２の個人情報６が携帯電話機１のプロフィール記憶部３２に記録される工程を例として説明する。図４のＡ図は、携帯電話機１の表示部２４が携帯電話機１に搭載された図２のバッテリ２５から供給された電力で近距離無線通信部３に対する通信の待受け画面となった状態又は無線送受信部４に対する通信の待受け画面となった状態を示す。このＡ図において、携帯電話機１の利用者がプロフィール情報としての図２の個人情報６をプロフィール記憶部３２に入力するようにＡ図のキー部２３を操作すると、このキー部２３の操作に対応する操作信号がキー部２３から図２の制御部５に入力され、この操作信号の制御部５への入力に伴い、制御部５が表示部２４を制御し、図４のＢ図に示すように表示部２４にはアドレス帳メニューが表示される。このアドレス帳メニューが表示された状態において、携帯電話機１の利用者がアドレス帳メニューの中の第４番目の「プロフィール」の項目を選択するようにＡ図のキー部２３を操作すると、このキー部２３の操作に対応する操作信号がキー部２３から図２の制御部５に入力され、この操作信号の制御部５への入力に伴い、制御部５が表示部２４を制御し、図４のＣ図に示すように表示部２４にはプロフィールメニューが表示される。
【００３５】
この図４のＣ図に示すようプロフィールメニューが表示された状態において、携帯電話機１の利用者がプロフィールメニューにおける「氏名」「読み仮名」「電話番号」「第２電話番号」等の項目のそれぞれに対応する情報を入力するようにＡ図のキー部２３を操作すると、このキー部２３の操作に対応する操作信号がキー部２３から図２の制御部５に入力され、この操作信号の制御部５への入力に伴い、制御部５が表示部２４を制御し、図４のＤ図に示すように表示部２４にはプロフィールメニューにおける「氏名」「読み仮名」「電話番号」「第２電話番号」等の項目のそれぞれに対応する情報が表示される。これらの情報が表示された状態において、携帯電話機１の利用者がプロフィールメニューの項目に対する情報の入力の終了を行うためにＡ図のキー部２３を操作すると、このキー部２３の操作に対応する操作信号がキー部２３から図２の制御部５に入力され、この操作信号の制御部５への入力に伴い、制御部５が表示部２４を制御し、図４のＥ図に示すように表示部２４にはプロフィールメニューの項目よりも下方に登録の有無を問い合わせる情報が表示される。
【００３６】
この図４のＥ図に示すように登録の有無を問い合わせる情報が表示された状態において、携帯電話機１の利用者が「はい」を選択するようにＡ図のキー部２３を操作すると、このキー部２３の操作に対応する操作信号がキー部２３から図２の制御部５に入力され、この操作信号の制御部５への入力に伴い、制御部５のＣＰＵ２７が動作し、このＣＰＵ２７の動作に伴い、Ｅ図に示す「氏名：石川俊司」「読み仮名：いしかわしゅんじ」「電話番号：０７０１２３４５６７８」「第２電話番号：０３２３４５６７８９」「電子メールアドレス：ishikawa＠ab.cd.com」が図２のプロフィール記憶部３２に記録されると共に、図４のＦ図に示すように表示部２４にはプロフィールメニューの項目よりも下方に登録の完了を表す情報として例えば「登録しました」が表示される。これにより、図２の個人情報６のプロフィール記憶部３２への記録が完了する。
【００３７】
尚、図３の個人情報１１が携帯電話機２のプロフィール記憶部５２に記録される工程は、段落００３４における携帯電話機１、近距離無線通信部３、無線送受信部４、制御部５、個人情報６、キー部２３、表示部２４、バッテリ２５、ＣＰＵ２７、プロフィール記憶部３２のそれぞれを、図３の携帯電話機２、近距離無線通信部８、無線送受信部９、制御部１０、個人情報１１、キー部４３、表示部４４、バッテリ４５、ＣＰＵ４７、プロフィール記憶部５２とそれぞれ読み替え、又、段落００３６の「氏名：石川俊司」「読み仮名：いしかわしゅんじ」「電話番号：０７０１２３４５６７８」「第２電話番号：０３２３４５６７８９」「電子メールアドレス：ishikawa＠ab.cd.com」を図３の「氏名：日本太郎」「読み仮名：にっぽんたろう」「電話番号：０９０１２３４５６７８」「第２電話番号：０３３３４５６７８９」「電子メールアドレス：nippon＠ef.gh.com」と読み替えることにより適用できる。
【００３８】
図５を参照し、図２の携帯電話機１から個人情報６の特定の位置に特定の順序変更指定情報７の付加された情報を図３の携帯電話機２に転送する工程を図２の近距離無線通信部３及び情報発信手段３０で行われる場合を例として説明する。図５のＡ図は、携帯電話機１の表示部２４が携帯電話機１に搭載された図２のバッテリ２５から供給された電力で近距離無線通信部３に対する通信及び無線送受信部４に対する通信の待受け画面となった状態を示す。このＡ図において、携帯電話機１の利用者が図２のプロフィール記憶部３２に記憶された個人情報６を近距離無線通信部３から転送するようにキー部２３を操作すると、このキー部２３の操作に対応する操作信号がキー部２３から図２の制御部５に入力され、この操作信号の制御部５への入力に伴い、制御部５が表示部２４を制御し、図５のＢ図に示すように表示部２４には転送メニューが表示される。この転送メニューが表示された状態において、携帯電話機１の利用者が転送メニューの中の「Bluetooth（登録商標）」又は「赤外線」を選択するようにＡ図のキー部２３を操作すると、このキー部２３の操作に対応する操作信号がキー部２３から図２の制御部５に入力され、この操作信号の制御部５への入力に伴い、制御部５が表示部２４を制御し、図５のＣ図に示すように表示部２４には転送プロフィールメニューが表示される。
【００３９】
この図５のＣ図に示すように表示された転送プロフィールメニューは、図２のプロフィール記憶部３２から抽出された個人情報６が表示部２４に表示された態様である。この転送プロフィールメニューが表示された状態において、携帯電話機１の利用者が個人情報６としての転送プロフィールメニューの「読み仮名：いしかわしゅんじ」の部分の特定の位置としての読み仮名における末尾１字の前に図２の予め定められた特定の順序変更指定情報７としての「ア」を付加するようにＡ図のキー部２３を操作すると、このキー部２３の操作に対応する操作信号がキー部２３から図２の制御部５に入力され、この操作信号の制御部５への入力に伴い、図２の情報発信手段３０の動作により図５のＤ図に示すように表示部２４には転送プロフィールメニューの「読み仮名：いしかわしゅんじ」が「読み仮名：いしかわしゅんアじ」と変更されて表示される。
【００４０】
この転送する個人情報６の特定の位置に特定の順序変更指定情報７を付加した状態が表示された状態において、携帯電話機１の利用者が順序変更指定情報７の付加の終了を行うためにＡ図のキー部２３を操作すると、このキー部２３の操作に対応する操作信号がキー部２３から図２の制御部５に入力され、この操作信号の制御部５への入力に伴い、制御部５が表示部２４を制御し、図５のＥ図に示すように表示部２４には転送プロフィールメニューの項目よりも下方に転送の有無を問い合わせる情報が表示される。この転送の有無を問い合わせる情報が表示された状態において、携帯電話機１の利用者が「はい」を選択するようにＡ図のキー部２３を操作すると、このキー部２３の操作に対応する操作信号がキー部２３から図２の制御部５に入力され、この操作信号の制御部５への入力に伴い、制御部５のＣＰＵ２７が動作し、このＣＰＵ２７の動作に伴い、図４のＥ図に示す「氏名：石川俊司」「読み仮名：いしかわしゅんアじ」「電話番号：０７０１２３４５６７８」「第２電話番号：０３２３４５６７８９」「電子メールアドレス：ishikawa＠ab.cd.com」が図２の近距離無線通信部３から図３の携帯電話機２の近距離無線通信部８に転送されると共に、図５のＦ図に示すように表示部２４にはプロフィールメニューの項目よりも下方に転送の完了を表す情報として例えば「転送しました」が表示される。これにより、個人情報６の特定の位置に特定の順序変更指定情報７の付加された情報の図２に示す携帯電話機１の近距離無線通信部３から図３に示す携帯電話機２の近距離無線通信部８への転送が完了する。
【００４１】
図６を参照し、図１の携帯電話機２が携帯電話機１から個人情報６を受信する場合の処理について説明する。この処理は、図１の近距離無線通信部３；８による通信又は無線送受信部４；９による通信の場合の双方に対する制御部１０の処理である。尚、図６の処理の説明において、携帯電話機１、個人情報６、順序変更情報７については、図２を参照されたい。又、携帯電話機２、近距離無線通信部８、無線送受信部９、制御部１０、ＣＰＵ４７、情報登録手段５１については、図３を参照されたい。
【００４２】
図６において、ステップ１０１では、携帯電話機２の近距離無線通信部８又は無線送受信部９で携帯電話機１からの個人情報６又は個人情報６の予め定められた特定の位置に予め定められた特定の順序変更指定情報７を付加してなる情報を受信したか受信していないかを情報登録手段５１が判断する。即ち、携帯電話機２の近距離無線通信部８又は無線送受信部９が携帯電話機１のプロフィール記憶部３２から抽出されて転送された個人情報６又は個人情報６の予め定められた特定の位置に予め定められた特定の順序変更指定情報７を付加してなる情報を携帯電話機１から受信していなければ、ステップ１０１がＮＯになり、ステップ１０１に戻る。逆に、近距離無線通信部８又は無線送受信部９が携帯電話機１のプロフィール記憶部３２抽出されて転送された個人情報６又は個人情報６の予め定められた特定の位置に予め定められた特定の順序変更指定情報７を付加してなる情報を携帯電話機１から受信していれば、ステップ１０１がＹＥＳになり、ステップ１０２に進む。ステップ１０２では、ステップ１０１で受信した個人情報６又は個人情報６の予め定められた特定の位置に予め定められた特定の順序変更指定情報７を付加してなる情報を情報登録手段５１が五十音順に従ってアドレスデータ記憶部５４に記録する。これにより、特定の順序変更指定情報７の付加された個人情報６が特定の順序変更指定情報７の付加されていない個人情報６よりもアドレスデータ記憶部５４の該当するブロックの上位に記録される。
【００４３】
図７及び図８を参照し、携帯電話機１から携帯電話機２に転送される個人情報６が携帯電話機２のアドレスデータ記憶部５５に記録された例を個人情報６の予め定められた特定の位置に予め定められた特定の順序変更情報７が付加された場合と付加されていない場合と分けて説明する。図７及び図８では、携帯電話機１から携帯電話機２に転送される個人情報６として図２のプロフィール記憶部３２から抽出された「石川俊司」「いしかわしゅんじ」「電話番号：０７０１２３４５６７８」「第２電話番号：０３２３４５６７８９」「電子メールアドレス：ishikawa＠ab.cd.com」を例とし、この個人情報６が携帯電話機１から携帯電話機２に転送されるよりも前の時期において、図７及び図８のアドレスデータ記憶部５５には「石川俊司」「電話番号（０９０１２３４５６７８）」「メールアドレス」「第２電話番号」からなる個人情報６１が既に記録されている場合を例として説明する。この個人情報６１は、携帯電話機１の利用者が所有する図外の携帯電話機のプロフィール記憶部に記録されており、そのプロフィール記憶部から転送されて携帯電話機２のアドレスデータ記憶部５５に記録された情報である。尚、図７及び図８のアドレスデータ記憶部５５では、記録された氏名の読み仮名の図示を省略してある。
【００４４】
先ず、図７では、個人情報６の特定の位置としての読み仮名における末尾１字の前に図２の順序変更指定情報１２としての「ア」が付加された情報が携帯電話機１から携帯電話機２に転送された場合を例として説明する。上記個人情報６の特定の位置としての読み仮名における末尾１字の前に図２の順序変更指定情報１２としての「ア」が付加された情報としては、例えば、図５のＥ図の「読み仮名：いしかわしゅんアじ」を参照されたい。このように個人情報６の特定の位置としての読み仮名における末尾１字の前に図２の順序変更指定情報１２としての「ア」が付加された情報が図２の携帯電話機１から図２の携帯電話機２に転送された場合には、図３に示す携帯電話機２の情報登録手段３１の動作により図６のステップ１０１の処理が実行される。この処理の実行により、上記個人情報６の特定の位置としての読み仮名における末尾１字の前に図２の順序変更指定情報１２としての「ア」が付加された情報を当該個人情報６の記録されるべきブロックとしての「石川俊司」の上位に記録する処理を行う。
【００４５】
この上位に記録する処理において、携帯電話機１から携帯電話機２に転送されてきた個人情報６の予め定められた特定の位置としての読み仮名における末尾１字の前に図２の予め定められた特定の順序変更指定情報１２としての「ア」が付加された情報を加工することなく図２のプロフィール記憶部３２から抽出された「石川俊司」「電話番号：０７０１２３４５６７８」「第２電話番号：０３２３４５６７８９」「電子メールアドレス：ishikawa＠ab.cd.com」からなる個人情報６が、図７に示すようにアドレスデータ記憶部５５に既存の「石川俊司」「電話番号（０９０１２３４５６７８）」「メールアドレス」「第２電話番号」からなる個人情報６１よりも上位に記録される。このように携帯電話機１の利用者が自分の携帯電話機１から他人の携帯電話機２のアドレスデータ記憶部５５に自分の個人情報６；６１を複数個記録させる場合において、自分の指定する個人情報６を自分の指定以外の個人情報６１よりも上位に記録させることができる。
【００４６】
これにより、携帯電話機１の利用者に対して他人である携帯電話機２の利用者が携帯電話機２のアドレスデータ記憶部５５から携帯電話機１の利用者としての例えば「石川俊司」に関する個人情報６又は個人情報６１を抽出するように図３の携帯電話機２のキー部４３を操作すると、図３の携帯電話機２のＣＰＵ４７がアドレスデータ記憶部５５における複数の個人情報６；６１としての「石川俊司」の中から上位に記録されている方の個人情報６を優先的にアドレスデータ記憶部５５から抽出して図３の携帯電話機２の表示部４４に表示するので、携帯電話機２の利用者が複数の個人情報６；６１としての「石川俊司」に発信を行う場合にアドレスデータ記憶部５５における複数の個人情報６；６１としての「石川俊司」の中から上位に記録されている個人情報６の電話番号又は第２電話番号又は電子メールアドレスに発信を行うようになる。即ち、携帯電話機１の利用者が自分の携帯電話機１から他人の携帯電話機２のアドレスデータ記憶部５５に自分の個人情報６を複数個記録させる場合において、自分の指定する個人情報６を自分の指定以外の個人情報６１よりも上位に記録させることにより、他人の携帯電話機２の利用者に対して自分の指定する個人情報６の電話番号又は第２電話番号又は電子メールアドレスに発信を促すことができる。
【００４７】
次に、図８では、個人情報６の予め定められた特定の位置としての読み仮名における末尾１字の前に図２の予め定められた特定の順序変更指定情報１２としての「ア」が付加されていない個人情報６が携帯電話機１から携帯電話機２に転送された場合を例として説明する。このように図２の予め定められた特定の順序変更指定情報１２としての「ア」の付加されていない個人情報６が携帯電話機１から携帯電話機２に転送された場合には、図３に示す携帯電話機２の情報登録手段３１の動作により図６のステップ１０２の処理が実行される。この処理の実行により、上記順序変更指定情報１２としての「ア」の付加されていない個人情報６が例えば五十音順で決められた順序の位置に記録する処理を行う。
【００４８】
この順序の位置に記録する処理において、携帯電話機１から携帯電話機２に転送されてきた個人情報６として図２のプロフィール記憶部３２から抽出された「石川俊司」「電話番号：０７０１２３４５６７８」「第２電話番号：０３２３４５６７８９」「電子メールアドレス：ishikawa＠ab.cd.com」からなる個人情報６が、図８に示すようにアドレスデータ記憶部５５に既存の「石川俊司」「電話番号（０９０１２３４５６７８）」「メールアドレス」「第２電話番号」からなる個人情報６１よりも下位に記録される。
【００４９】
これにより、携帯電話機１の利用者に対して他人である携帯電話機２の利用者が携帯電話機２のアドレスデータ記憶部５５から携帯電話機１の利用者としての例えば「石川俊司」に関する個人情報６又は個人情報６１を抽出するように図３の携帯電話機２のキー部４３を操作すると、図３の携帯電話機２のＣＰＵ４７がアドレスデータ記憶部５５における複数の個人情報６；６１としての「石川俊司」の中から上位に記録されている方の個人情報６１を優先的にアドレスデータ記憶部５５から抽出して図３の携帯電話機２の表示部４４に表示するので、携帯電話機２の利用者が複数の個人情報６；６１としての「石川俊司」に発信を行う場合にアドレスデータ記憶部５５における複数の個人情報６；６１としての「石川俊司」の中から上位に記録されている個人情報６１の電話番号又は第２電話番号又は電子メールアドレスに発信を行うようになる。
【００５０】
段落０００８乃至段落００４９では電話機として携帯電話機１；２を例として説明したが、電話機として固定電話機でも適用可能である。電話機として固定電話機を用いる場合には、図１の無線送受信部４；９が有線送受信部となり、図１の無線基地局１３；１４が固定基地局となり、有線送受信部と固定基地局とが有線で接続される構成となる。
【００５１】
又、段落０００８乃至段落００４９では携帯電話機１；２とその利用者との間での情報をやりとりするためのユーザーインタフェースを構成する入力操作手段として図２及び図３のキー部２３；４３を例として説明したが、キー部２３；４３に代替して図２及び図３のスピーカ２２又は表示部２４を用いてもよい。入力操作手段としてスピーカ２２を用いる場合は音声で入力を操作する態様となり、入力操作手段として表示部２４を用い場合は表示部２４に表示されたキー部２３;４３に相当するタッチセンサで入力を操作する態様となる。
【００５２】
又、段落０００８乃至段落００４９では図２のプロフィール記憶部３２から抽出した個人情報６を携帯電話機１から図３の携帯電話機２に転送するか又は図３のプロフィール記憶部５２から抽出した個人情報１１を携帯電話機２から図２の携帯電話機１に転送する場合を例として説明したが、図２のアドレスデータ記憶部３４又はメモリダイヤル記憶部３５から抽出した個人情報を携帯電話機１から図３の携帯電話機２に転送したり又は図３のアドレスデータ記憶部５４又はメモリダイヤル記憶部５５から抽出した個人情報を携帯電話機２から図２の携帯電話機１に転送したりすることもできる。
【００５３】
更に、図５のＤ図に示すように個人情報６としての「読み仮名：いしかわしゅんじ」の部分の特定の位置としての読み仮名における末尾１字の前に予め定められた特定の順序変更指定情報１２としての「ア」を付加することにより、「読み仮名：いしかわしゅんじ」を「読み仮名：いしかわしゅんアじ」と変更する場合を例として説明したが、例えば、個人情報６としての「読み仮名：いしかわしゅんじ」の部分の特定の位置としての読み仮名における苗字の読み仮名「いしかわ」の末尾１字の前に予め定められた特定の順序変更指定情報１２としての「ア」を付加するように、「読み仮名：いしかわしゅんじ」を「読み仮名：いしかアわしゅんじ」と変更することも考えられる。このように予め定められた特定の順序変更指定情報１２を苗字の読み仮名「いしかわ」の末尾１字の前に付加すれば、個人情報の記録されるべきブロックが個人情報の中の苗字の読み仮名が同じの集合となり、苗字の読み仮名が同じの集合の上位に記録されることになる。
【００５４】
又、上記実施の形態よりも構造は複雑になるが、予め定められた文字を並べる順序の決め方に使用される文字以外の記号、例えば「☆」や「♯」等が予め定められた特定の順序変更指定情報７；１２として用いられた場合には、機械が予め定められた文字を並べる順序の決め方に使用される文字と予め定められた特定の順序変更指定情報７；１２として記号との違いを認識することができるので、例えば、情報登録手段３１；５１に予め定められた特定の順序変更指定情報７；１２を除去する機能を付加するようにしてもよい。
【００５５】
例えば、図２の情報登録手段３１に受信した予め定められた特定の順序変更指定情報１２を除去する機能を付加した場合を例として説明する。受信した個人情報１１に予め定められた特定の順序変更指定情報１２が付加されている場合には、情報登録手段３１が受信した個人情報１１の予め定められた特定の位置から予め定められた特定の順序変更指定情報１２を除去すると共に個人情報１１をアドレスデータ記憶部５４における当該個人情報１１の記録されるべきブロックの上位に記録する。逆に、受信した個人情報１１に予め定められた特定の順序変更指定情報１２が付加されていない場合には、情報登録手段３１が受信した個人情報１１を予め定められた文字を並べる順序の決め方に従ってアドレスデータ記憶部５４における当該個人情報１１の記録されるべき位置に記録する。
【００５６】
又、上記実施の形態よりも構造が複雑になるが、予め定められた文字を並べる順序の決め方に使用される文字以外の記号、例えば「☆」や「♯」等が予め定められた特定の順序変更指定情報７；１２として用いられた場合には、機械が予め定められた文字を並べる順序の決め方に使用される文字と予め定められた特定の順序変更指定情報７；１２として記号との違いを認識することができるので、制御部５；１０に例えば図外のモード設定手段を設けて受信側で順序の変更を容認するか拒否するかをできるようにしてもよい。
【００５７】
例えば、モード設定手段が受信側となった携帯電話機１の制御部５に設けられてＣＰＵ２７の動作で具現化される手段である場合を例として説明すると、モード設定手段は、入力操作手段による入力によりＣＰＵ２７の動作モードを順序変更動作モード又は順序変更不動作モードの何れかに設定するものであり、携帯電話機１の利用者の操作により、制御部５の動作モードを順序変更動作モード又は順序変更不動作モードの何れかに設定する処理を行う。
【００５８】
具体的には、受信側となった携帯電話機１が発信側の携帯電話機２から発信された個人情報１１を受信するよりも前の時期において、受信側の携帯電話機１の利用者が順序変更動作モードとなるように入力操作手段としてのキー部２３を操作すると、このキー部２３の操作に対応する操作信号がキー部２３から制御部５に入力され、この操作信号の制御部５への入力に伴い、モード設定手段がＣＰＵ２７の動作モードを順序変更不動作モードから順序変更動作モードに切り替えて設定し、この順序変更動作モードに設定されたＣＰＵ２７の動作により、情報登録手段３１が受信した個人情報１１の予め定められた位置に有る予め定められた特定の順序変更指定情報１２を認識するように動作する。このように情報登録手段３１が予め定められた特定の順序変更指定情報１２を認識すると、情報登録手段３１が受信した個人情報１１をアドレスデータ記憶部５４における当該個人情報１１の記録されるべきブロックの上位に記録する。
【００５９】
逆に、携帯電話機１の利用者が順序変更不動作モードとなるようにキー部２３を操作すると、このキー部２３の操作に対応する操作信号がキー部２３から制御部５に入力され、この操作信号の制御部５への入力に伴い、モード設定手段がＣＰＵ２７の動作モードを順序変更動作モードから順序変更不動作モードに切り替えて設定し、この順序変更不動作モードに設定されたＣＰＵ２７の動作により、情報登録手段３１が受信した個人情報１１の予め定められた位置に有る予め定められた特定の順序変更指定情報１２を無視するように動作する。このように情報登録手段３１が予め定められた特定の順序変更指定情報１２を無視すると、情報登録手段３１が受信した個人情報１１をアドレスデータ記憶部５４における予め定められた文字を並べる順序の決め方例えば五十音順に従って当該個人情報１１の記録されるべき位置に記録する。
【００６０】
段落００５４乃至段落００５９では、携帯電話機１が受信側となり、携帯電話機２が発信側となった場合の動作を説明したが、携帯電話機１が発信側となり、携帯電話機２が受信側となった場合の動作は、個人情報１１を個人情報６と読み替え、順序変更指定情報１２を順序変更指定情報７と読み替え、制御部５を制御部１０と読み替え、ＣＰＵ２７をＣＰＵ４７と読み替え、キー部２３をキー部４３と読み替え、情報登録手段３１を情報登録手段５１と読み替え、アドレスデータ記憶部５４をアドレスデータ記憶部３４と読み替えることにより実施可能になる。
【符号の説明】
【００６１】
１；２は携帯電話機、３は近距離無線通信部、４は無線送受信部、５は制御部、６は個人情報、７は順序変更指定情報、８は近距離無線通信部、９は無線送受信部、１０は制御部、１１は個人情報、１２は順序変更指定情報、１３は無線基地局、１４は無線基地局、１５は通信網、１６は制御局、１７乃至２０は欠番、２１はマイクロホン、２２はスピーカ、２３はキー部、２４は表示部、２５はバッテリ、２６はアンテナ、２７はＣＰＵ、２８はＲＯＭ、２９はＲＡＭ、３０は情報発信手段、３１は情報登録手段、３２はプロフィール記憶部、３３は情報記憶部、３４はアドレスデータ記憶部、３５はメモリダイヤル記憶部、３６乃至４０は欠番、４１はマイクロホン、４２はスピーカ、４３はキー部、４４は表示部、４５はバッテリ、４６はアンテナ、４７はＣＰＵ、４８はＲＯＭ、４９はＲＡＭ、５０は情報発信手段、５１は情報登録手段、５２はプロフィール記憶部、５３は情報記憶部、５４はアドレスデータ記憶部、５５はメモリダイヤル記憶部、５６乃至６０は欠番、６１は個人情報。
【図１】
2013106106.tif 000003
【図２】
2013106106.tif 000004
【図３】
2013106106.tif 000005
【図４】
2013106106.tif 000006
【図５】
2013106106.tif 000007
【図６】
2013106106.tif 000008
【図７】
2013106106.tif 000009
【図８】
2013106106.tif 000010